(57)【要約】【課題】表示部に表示された画像の拡大又は縮小表示を迅速かつ簡潔に行うことが可能な情報処理装置及び情報処理方法を提供すること。【解決手段】画像データに基づいて画面上に画像を表示する表示部１２４と、接触体と表示部との接触又は近接を検出する接近検出部１２２と、表示部の画面と平行な面内における表示部の回転を検出する角度検出部１０６と、接触又は近接が検出されている間、検出された回転の回転角度に応じて、表示部の画面に表示された要素を拡大又は縮小して画面に表示する拡大縮小処理部１７２とを有することを特徴とする。【選択図】図１
2010055511.tif 000002
【特許請求の範囲】
【請求項１】
画像データに基づいて画面上に画像を表示する表示部と、
接触体と前記表示部との接触又は近接を検出する接近検出部と、
前記表示部の画面と平行な面内における前記表示部の回転を検出する角度検出部と、
前記接触又は近接が検出されている間、検出された前記回転の回転角度に応じて、前記表示部の画面に表示された要素を拡大又は縮小して前記画面に表示する拡大縮小処理部と、
を有する、情報処理装置。
【請求項２】
前記拡大縮小処理部は、検出された前記接触又は近接の前記画面上における位置を基準に、前記要素を拡大又は縮小する、請求項１に記載の情報処理装置。
【請求項３】
前記接触又は近接が検出されている間、検出された前記接触又は近接の位置の変化に応じて、前記表示部の画面に表示された要素を移動して前記画面に表示する移動処理部を有する、請求項１又は２に記載の情報処理装置。
【請求項４】
前記接触又は近接が検出されている間、検出された前記回転の回転角度に応じて、前記表示部の画面に表示された要素を回転して前記画面に表示する回転処理部を有する、請求項１〜３のいずれかに記載の情報処理装置。
【請求項５】
前記接近検出部が前記接触又は近接を検出した後、所定時間経過後に、前記拡大縮小処理部が前記要素を拡大又は縮小処理することが可能な拡大縮小モードを開始する、請求項１〜４のいずれかに記載の情報処理装置。
【請求項６】
表示部が画像データに基づいて画面上に画像を表示するステップと、
接近検出部が接触体と前記表示部との接触又は近接を検出するステップと、
前記表示部の画面と平行な面内における前記表示部の回転を検出するステップと、
拡大縮小処理部が前記接触又は近接が検出されている間、検出された前記回転の回転角度に応じて、前記表示部の画面に表示された要素を拡大又は縮小して前記画面に表示するステップと、
を有する、情報処理方法。
【発明の詳細な説明】
【技術分野】
【０００１】
本発明は、情報処理装置及び情報処理方法に関する。
【背景技術】
【０００２】
パーソナルコンピュータ、携帯電話、ＰＤＡ等の情報処理装置は、液晶ディスプレイ等の表示装置を介して情報をユーザに提供する。ユーザに提供される情報には、例えば、文字情報や、写真や動画等の画像データがある。また、キーボードやボタン等の操作部材を介してユーザから情報処理装置に各種情報が入力される。
【０００３】
表示装置には、液晶ディスプレイなどの表示部の表面に静電容量方式や抵抗膜方式のタッチセンサーを設けるタッチパネル（タッチスクリーン）がある。タッチパネルによれば、表示部の画面に触れることで情報処理装置への情報の入力が可能となり、ユーザが容易に情報処理装置を扱うことができるようになる。
【発明の開示】
【発明が解決しようとする課題】
【０００４】
ところで、情報処理装置が表示装置に写真等の画像を表示する際、情報処理装置はユーザによる操作によって画像を拡大したり縮小したりできる。画像を拡大又は縮小する操作（ズーム操作）は、従来、ズームボタンによる操作や、スライドバーによる操作によって実現される。しかし、通常、ズーム操作が入力されると、表示された画像は、画像の中心を基準として拡大処理又は縮小処理がされる。
【０００５】
したがって、画像の中心ではなく、画像の端の方に拡大して注目したい対象が存在するときには、ズーム操作に加えて、画像の移動操作を行う必要があった。画像の移動操作は、十字キーやドラッグアンドドロップによる操作で実現される。例えば、注目したい対象を拡大して、画面の中心に移動させるためには、ズーム操作による拡大表示と、移動操作による注目対象の移動を交互に行っていた。
【０００６】
そこで、本発明は、上記問題に鑑みてなされたものであり、本発明の目的とするところは、表示部に表示された画像の拡大又は縮小表示を迅速かつ簡潔に行うことが可能な、新規かつ改良された情報処理装置及び情報処理方法を提供することにある。
【課題を解決するための手段】
【０００７】
上記課題を解決するために、本発明のある観点によれば、画像データに基づいて画面上に画像を表示する表示部と、接触体と表示部との接触又は近接を検出する接近検出部と、表示部の画面と平行な面内における表示部の回転を検出する角度検出部と、接触又は近接が検出されている間、検出された回転の回転角度に応じて、表示部の画面に表示された要素を拡大又は縮小して画面に表示する拡大縮小処理部とを有する情報処理装置が提供される。
【０００８】
上記拡大縮小処理部は、検出された接触又は近接の画面上における位置を基準に、要素を拡大又は縮小してもよい。
【０００９】
上記接触又は近接が検出されている間、検出された接触又は近接の位置の変化に応じて、表示部の画面に表示された要素を移動して画面に表示する移動処理部を有してもよい。
【００１０】
上記接触又は近接が検出されている間、検出された回転の回転角度に応じて、表示部の画面に表示された要素を回転して画面に表示する回転処理部を有してもよい。
【００１１】
上記接近検出部が接触又は近接を検出した後、所定時間経過後に、拡大縮小処理部が要素を拡大又は縮小処理することが可能な拡大縮小モードを開始してもよい。
【００１２】
また、上記課題を解決するために、本発明の別の観点によれば、表示部が画像データに基づいて画面上に画像を表示するステップと、接近検出部が接触体と表示部との接触又は近接を検出するステップと、表示部の画面と平行な面内における表示部の回転を検出するステップと、拡大縮小処理部が接触又は近接が検出されている間、検出された回転の回転角度に応じて、表示部の画面に表示された要素を拡大又は縮小して画面に表示するステップとを有する情報処理方法が提供される。
【発明の効果】
【００１３】
本発明によれば、表示部に表示された画像の拡大又は縮小表示を迅速かつ簡潔に行うことができる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
１．一実施形態の構成
２．一実施形態の動作
【００１５】
＜１．一実施形態の構成＞
まず、本発明の一実施形態に係る情報処理装置１００の構成について説明する。図１は、本実施形態に係る情報処理装置１００を示すブロック図である。
本実施形態に係る情報処理装置１００は、例えば、制御部１０２と、メモリ１０４と、ストレージ１０５と、ジャイロセンサー１０６と、入力Ｉ／Ｆ１０７と、画像信号処理部１１０と、タッチパネル１１２と、音声出力Ｉ／Ｆ１１６などからなる。
【００１６】
情報処理装置１００は、例えば、利用者が容易に携帯可能なパーソナルコンピュータ、オーディオプレイヤー、メディアプレイヤー、ＰＤＡ（personal  digital  assistant）、携帯電話、デジタルカメラなどである。
【００１７】
制御部１０２は、例えばＣＰＵ（Central  Processing  Unit）、ＲＯＭ（Read  Only  Memory）、ＲＡＭ（Random  Access  Memory）などが組み合わされて構成されるマイクロコンピュータなどを有する。制御部１０２は、プログラムによって演算処理装置及び制御装置として機能し、情報処理装置１００における上記各構成要素などを制御する。制御部１０２は、外部からの操作を受け付けるタッチパネル１１２から信号が入力される。
【００１８】
メモリ１０４は、例えば、ＲＡＭ、ＲＯＭ、キャッシュメモリなどの記憶部で構成されており、制御部１０２のＣＰＵの処理に関するデータ、ＣＰＵの動作プログラムなどを一時的に記憶する機能を有する。
【００１９】
ストレージ１０５は、例えば、ハードディスク、光ディスク、フラッシュメモリなどであり、データを長期に亘って格納するための記憶部である。ストレージ１０５は、例えば、音楽データやビデオ、写真などの映像データを記憶する。ストレージ１０５は、音楽データや映像データを、制御部１０２におけるデータ受信制御処理、蓄積制御処理を経て記録する。
【００２０】
ジャイロセンサー１０６は、角度検出部の一例であり、タッチパネル１１２の画面と平行な面内におけるタッチパネル１１２の回転を検出する。ジャイロセンサー１０６は、検出された回転角度を制御部１０２に送る。ジャイロセンサー１０６は、図３に示すように、情報処理装置１００内部に設けられ、タッチパネル１１２の画面に対して垂直方向を回転軸とする回転を検出する。図３は、本実施形態に係る情報処理装置１００の外観を示す斜視図である。なお、本実施形態では、ジャイロセンサー１０６がタッチパネル１１２の回転を検出するとしたが、本発明はかかる例に限定されない。例えば、２軸以上の回転を検出できるセンサーを使用してもよいし、加速度センサーを使用してもよい。
【００２１】
入力Ｉ／Ｆ１０７は、例えば、ＵＳＢ端子、IEEE  1394端子等であり、外部装置と接続可能なインターフェースである。各種データは、入力Ｉ／Ｆ１０７を介して、情報処理装置１００に各種情報や指令が入力される。
【００２２】
画像信号処理部１１０は、画像信号を復号処理したり、復号処理した画像信号を信号処理したりする。画像信号処理部１１０は、画像信号について、表示部１２４の画素数に変換する解像度変換、輝度補正、色補正、ガンマ補正など各種所要の信号処理を実行する。
【００２３】
タッチパネル１１２は、タッチセンサー１２２と、表示部１２４などからなり、表示部１２４の画面上の接触を検知することで、利用者の操作を受け付ける。そして、タッチパネル１１２は、接触動作や接触位置に応じて、画面に表示された項目を選択したり、画面のスクロール、拡大又は縮小表示など表示を変化させたりする。
【００２４】
表示部１２４は、例えば、液晶ディスプレイ、有機ＥＬディスプレイ等であり、表示制御部１２６によって制御される。表示部１２４は、データのタイトルなどを表示するメニュー画面や、画像データによる写真や動画等の画像を表示する。表示制御部１２６は、入力された画像信号を利用して表示部１２４を駆動する。これによって、表示部１２４の画面には、画像信号に応じた画像が表示される。表示制御部１２６は、画像信号処理部１１０から受けた画像信号の再生処理をする。また、表示制御部１２６は、表示データの合成処理をして、表示部１２４で利用者が視聴可能となるデータを生成する。表示制御部１２６で生成されたデータは、表示部１２４に出力される。
【００２５】
タッチセンサー１２２は、表示部１２４上に設けられる面状の透明部材である。タッチセンサー１２２は、利用者の指やスタイラスペンなどの操作体による接触又は近接（以下、接触及び近接を総称して接触という場合もある。）や、接触位置又は近接位置（以下、接触位置及び近接位置を総称して接触位置という場合もある。）を検出する。タッチセンサー１２２は接近検出部の一例である。タッチセンサー１２２によって検出した接触位置と、表示部１２４に表示された画面とは対応付けされる。タッチパネル１１２の構成、動作方式には、抵抗膜方式、静電容量方式などがある。タッチパネル１１２は、通常の技術で実現可能な構成とすることができ、ここでは詳細な説明は省略する。タッチパネル１１２は、接触位置などに基づいて操作信号を生成し、生成した操作信号を制御部１０２に送る。例えば、タッチセンサー１２２は、接触動作や接触位置に応じて、画面の表示を変化させたり、画面に表示されたカーソルの表示位置を移動させたりする。
【００２６】
音声出力Ｉ／Ｆ１１６は、例えばフォーンプラグなどの端子であり、ヘッドフォン、スピーカ等の外部装置と接続される。音声出力Ｉ／Ｆ１１６は、再生された音声データを外部装置に出力する。
【００２７】
次に、本実施形態に係る情報処理装置１００の制御部１０２について説明する。制御部１０２は、更に拡大縮小処理部１７２、移動処理部１７４、回転処理部１７６などを有する。
【００２８】
拡大縮小処理部１７２は、ジャイロセンサー１０６で検出された回転角度に応じて、タッチパネル１１２に表示された写真等の画像、又は文字といった要素を拡大、又は縮小処理する。そして、拡大縮小処理部１７２は、拡大又は縮小処理した要素をタッチパネル１１２に表示させる。これにより、写真等の画像、又は文字を通常のサイズより大きく表示したり小さく表示したりできる。拡大縮小処理部１７２は、回転角度と拡大縮小倍率とを対応付けておいて拡大縮小処理する。例えば、右回転で、回転量に応じて拡大倍率が大きくなるように対応付けし、左回転で、回転量に応じて縮小倍率が小さくなるように対応付けする。
【００２９】
移動処理部１７４は、タッチセンサー１２２で検出された接触や移動位置に応じて、タッチパネル１１２に表示された写真等の画像、又は文字といった要素を移動処理する。そして、移動処理部１７４は、移動処理した要素をタッチパネル１１２に表示させる。これにより、写真等の画像、又は文字を移動して表示でき、例えば画面から外れて表示できない部分を画面内に移動して表示することができる。
【００３０】
回転処理部１７６は、ジャイロセンサー１０６で検出された回転角度に応じて、タッチパネル１１２に表示された写真等の画像、又は文字といった要素を回転処理する。そして、回転処理部１７６は、回転処理した要素をタッチパネル１１２に表示させる。これにより、例えば、写真等の画像、又は文字をユーザに対して常に正対するように表示できる。タッチパネル１１２を画面と平行な面内で回転させると、回転処理しない場合はユーザ側から見たとき画像又は文字が斜めや垂直になる。そこで、回転処理部１７６がタッチパネル１１２の回転方向と反対方向に画像又は文字を回転させる回転処理をすることで、ユーザ側から見たとき常に水平となるような表示をすることができる。回転処理部１７６による回転処理と、拡大縮小処理部１７２による拡大縮小処理は同時に処理することができ、画像又は文字を回転させながら、拡大又は縮小することができる。
また、回転処理部１７６は、拡大縮小処理が完了したとき、拡大縮小モードの間、回転処理していた要素を情報処理装置１００の画面の水平方向を基準とした方向に回転処理する。これにより、写真又は文字などが画面内で水平になるため、情報処理装置１００がもとの向きに戻されたとき、ユーザに対して正対する。
【００３１】
＜２．一実施形態の動作＞
次に、本実施形態に係る情報処理装置１００の動作について説明する。図２は、本実施形態に係る情報処理装置１００の動作を示すフローチャートである。特に、情報処理装置１００が、デジタルカメラ等の携帯可能な機器であり、写真等の対象を拡大して部分的に表示したり、縮小して表示したりする場合について説明する。例えば、デジタルカメラでは、撮影後、撮影した写真の合焦状態の確認や手振れの確認が必要なため、被写体の主要部分を迅速に拡大表示する場合がある。本実施形態は、このような状況で有効である。
【００３２】
まず、情報処理装置１００において、ユーザによる操作を介して写真閲覧モードが選択され、図４に示すように写真が画面に表示される（ステップＳ１０１）。図４は、本実施形態の情報処理装置１００に設けられたタッチパネル１１２を示す正面図である。図４では、タッチパネル１１２に写真１３０が表示されている。以下では、写真に対して表示処理する場合について説明するが、本発明は、例えば写真以外の画像、又は文字などに対して表示処理してもよい。
【００３３】
次に、拡大又は縮小処理の際の基準点とする点をユーザが指示する。情報処理装置１００は、タッチパネル１１２にユーザの指やスタイラスペンなどで接触又は近接によるポイントがされたか否かを判定する（ステップＳ１０２）。ユーザが指示するポイントは、写真の特に注目したい場所であるとよい。そして、ユーザによるポイントがされたときは、情報処理装置１００は、拡大縮小モードの開始であるか否かを判定する（ステップＳ１０３）。例えば、ユーザによるタッチパネル１１２への接触又は近接が、所定時間以上継続しているときに拡大縮小モードを開始する。これにより、ユーザによるタッチパネル１１２への接触又は近接が他の操作（例えば、画面上のボタンの押圧、ドラッグアンドドロップなど）を意図している場合と区別することができる。
【００３４】
情報処理装置１００が、拡大縮小モードの開始であると判定したときは、拡大縮小モードに移行する。このとき、例えば、図５に示すように、画面上のポイントされた場所にカーソル１４０を表示するとよい。図５のカーソル１４０は、拡大縮小モードの状態にあることを示し、ポイントされた場所を基準に、右回転で拡大（ズームイン）処理がされ、左回転で縮小（ズームアウト）処理がされることを示している。図５は、本実施形態の情報処理装置１００に設けられたタッチパネル１１２を示す正面図である。図５では、ユーザの指１０がタッチパネル１１２を指示している様子が示されており、タッチパネル１１２に、写真１３０及び写真１３０上に重畳したカーソル１４０が表示されている。
【００３５】
一方、例えば、ユーザによるタッチパネル１１２への接触又は近接が、所定時間未満であり、他の操作が行われたときは、拡大縮小処理以外の処理が行われる（ステップＳ１０９）。
【００３６】
拡大縮小モードが開始した後、ユーザによるタッチパネル１１２への接触又は近接が継続している間に、ユーザが情報処理装置１００自体をタッチパネル１１２の画面と平行な面内で回転することで、画面上の写真が拡大又は縮小表示される。このとき、情報処理装置１００に設けられたジャイロセンサー１０６が検出した回転（回転角度）の変化量に応じて、写真の拡大縮小処理がされる（ステップＳ１０４）。回転が検出されると、ポイントされた場所を基準に、右回転で拡大（ズームイン）処理がされ、左回転で縮小（ズームアウト）処理がされる。このとき、基準点は、拡大縮小処理によって移動しない。
【００３７】
情報処理装置１００において右回転がされると、図４及び図５に示した写真１３０が、図６に示すように拡大された写真１３２がタッチパネル１１２上で表示される。図６は、本実施形態の情報処理装置１００に設けられたタッチパネル１１２を示す正面図である。図６では、ユーザの指１０がタッチパネル１１２を指示している様子が示されており、タッチパネル１１２に、拡大された写真１３２及び写真１３２上に重畳したカーソル１４０が表示されている。
【００３８】
なお、回転に応じた拡大縮小処理は、限定値を接触してもよい。即ち、画像を拡大処理できる範囲、又は縮小処理できる範囲を設定してもよい。
【００３９】
次に、拡大縮小モードの継続中に、ユーザによるタッチパネル１１２への接触又は近接が継続している間に、ユーザが指１０をドラッグすることで、写真全体を指１０の動きに合わせて移動する。情報処理装置１００は、タッチパネル１１２への接触又は近接を検出しており、ユーザによってポイントされた位置の変化に応じた写真の移動処理をする（ステップＳ１０５）。
【００４０】
情報処理装置１００のタッチパネル１１２上において、指１０による接触位置が変化されると、図６に示した拡大後の写真１３２が、図７に示すように移動して写真１３４がタッチパネル１１２上で表示される。図７は、本実施形態の情報処理装置１００に設けられたタッチパネル１１２を示す正面図である。図７では、ユーザの指１０がタッチパネル１１２を指示している様子が示されており、タッチパネル１１２に、移動された写真１３４及び写真１３４上に重畳したカーソル１４０が表示されている。
【００４１】
拡大縮小モードが開始した後、ユーザによる接触又は近接が継続している間は、移動処理がされたとしても、カーソル１４０を継続して表示する。そして、移動先で更にユーザが情報処理装置１００を回転させて、写真１３４を更に拡大又は縮小させることもできる。情報処理装置１００は、タッチパネル１１２上のユーザによるポイントがリリースされたか否かを判定する（ステップＳ１０６）。リリースされるまでは、写真の拡大縮小処理、又は移動処理を繰り返すことができる。
【００４２】
ポイントがリリースされたときは、図３に示すように、拡大縮小処理、又は移動処理後の写真１３６がタッチパネル１１２上で表示される（ステップＳ１０７）。図３では、図６に示す拡大処理後の写真１３２や図７に示す移動処理後の写真１３４が表示されたあと、ユーザによって情報処理装置１００の向きが元に戻され、最終的に拡大縮小処理、又は移動処理された写真１３６が示されている。
【００４３】
処理後の写真が表示された後は、情報処理装置１００は写真閲覧モードで表示処理が終了したか否かを判定している（ステップＳ１０８）。表示処理が終了するまでは、更にタッチパネル１１２上でのユーザによるポイントを受け付け、再び拡大縮小処理などの表示処理が可能である。
【００４４】
なお、上記実施形態では、情報処理装置１００の回転と共に、タッチパネル１１２上の表示内容（写真等）が使用者から見て回転する。即ち、タッチパネル１１２を画面と平行な面内で回転させると、表示内容に対して回転処理しない場合はユーザ側から見たとき画像又は文字が斜めや垂直になる。そこで、情報処理装置１００の回転処理部１７６がタッチパネル１１２の回転方向と反対方向に画像又は文字を回転させる回転処理をすることで、ユーザ側から見たとき常に水平となるような表示をすることができる。図８は、図５に示した写真１３０に対して拡大処理しながら、ユーザに正対する方向に回転処理した写真１５０を示す。
【００４５】
そして、ステップＳ１０６でユーザによるポイントがリリースされて、拡大縮小処理が完了したとき、拡大縮小モードの間、回転処理していた表示内容を情報処理装置１００の画面の水平方向を基準とした方向に回転処理する。これにより、図３に示すように写真１３６又は文字などが画面内で水平になるため、情報処理装置１００がもとの向きに戻されたとき、ユーザに対して正対する。
【００４６】
なお、情報処理装置１００が、回転処理部１７６がタッチパネル１１２の回転方向と反対方向に画像又は文字を回転させる回転処理をする際、情報処理装置１００がもとの向きに戻されたときの写真のサイズを図８に示すようにユーザに示してもよい。図８は、本実施形態の情報処理装置１００に設けられたタッチパネル１１２を示す正面図である。図８では、ユーザの指１０がタッチパネル１１２を指示している様子が示されており、タッチパネル１１２に、拡大処理及び回転処理された写真１５０及び写真１５０上に重畳したカーソル１４０が表示されている。
【００４７】
そして、タッチパネル１１２上には、写真閲覧モードにおける枠１５２Ａ，１５２Ｂ，１５２Ｃ，１５２Ｄが表示される。そして、回転処理された写真１５０にも枠１５４Ａ，１５４Ｂ，１５４Ｃ，１５４Ｄが表示される。これにより、ステップＳ１０６でユーザによるポイントがリリースされて、拡大縮小処理が完了し、図３に示すように写真１３６が画面内で水平になったときの写真の位置や相対的な大きさが明らかになる。
【００４８】
従来、画像の拡大処理では、画像の中心を基準に拡大処理されていたため、写真における任意の点（中心以外、例えば写真の端に近い部分等）を基準に拡大処理する場合、拡大処理及び移動処理について複数のステップが必要であった。一方、本実施形態によれば、タッチパネル１１２への指示、及び情報処理装置１００自体の回転という２つのステップで拡大処理をすることができる。その結果、任意の点を基準にした、画像の拡大又は縮小処理を迅速かつ簡潔にすることができる。
【００４９】
上述した操作は、カメラにおける写真撮影時のレンズのズーム操作を連想させる操作であり、直感的にユーザは拡大縮小処理について操作できる。また、情報処理装置１００に設けられたタッチパネル１１２のみで行う操作であるため、情報処理装置１００に別途ボタンを配置する必要がないため、情報処理装置１００の小型化を図ることができる。更に、タッチパネル１１２の画面上にカーソル１４０以外の表示を別途表示する必要がない。従って、ＧＵＩ（グラフィックユーザインターフェース）においても、写真をメインに表示することができ、シンプルかつ美しい表示が可能となる。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５１】
【図１】本発明の一実施形態に係る情報処理装置を示すブロック図である。
【図２】同実施形態に係る情報処理装置の動作を示すフローチャートである。
【図３】同実施形態に係る情報処理装置の外観を示す斜視図である。
【図４】同実施形態の情報処理装置に設けられたタッチパネルを示す正面図である。
【図５】同実施形態の情報処理装置に設けられたタッチパネルを示す正面図である。
【図６】同実施形態の情報処理装置に設けられたタッチパネルを示す正面図である。
【図７】同実施形態の情報処理装置に設けられたタッチパネルを示す正面図である。
【図８】同実施形態の情報処理装置に設けられたタッチパネルを示す正面図である。
【符号の説明】
【００５２】
１００      情報処理装置
１０２      制御部
１０４      メモリ
１０５      ストレージ
１０６      ジャイロセンサー
１０７      入力Ｉ／Ｆ
１１０      画像信号処理部
１１２      タッチパネル
１１６      音声出力Ｉ／Ｆ
１２２      タッチセンサー
１２４      表示部
１２６      表示制御部
１７２      拡大縮小処理部
１７４      移動処理部
１７６      回転処理部
【図１】
2010055511.tif 000003
【図２】
2010055511.tif 000004
【図３】
2010055511.tif 000005
【図４】
2010055511.tif 000006
【図５】
2010055511.tif 000007
【図６】
2010055511.tif 000008
【図７】
2010055511.tif 000009
【図８】
2010055511.tif 000010